(57)【要約】【課題】正面部分に、スピーカを取り付ける取付部材に、ＬＥＤ基板を支持する構造を設け、省スペース化を図ることができる遊技機を提供する。【解決手段】遊技機は、スピーカ７１とスピーカ７１近傍に設けられたＬＥＤ基板９５とを有する。スピーカ７１と、ＬＥＤ基板９５と、スピーカ７１の取り付けに用いられる取付部材としてのスピーカベース６２およびスピーカカバー８１とを備える。スピーカカバー８１にＬＥＤ基板９５を支持するＬＥＤ基板支持部８６が設けられている。【選択図】図３
2018183334.tif 000002
【特許請求の範囲】
【請求項１】
スピーカと前記スピーカ近傍に設けられたプリント基板とを有する遊技機であって、
前記スピーカと、前記プリント基板と、前記スピーカの取り付けに用いられる取付部材とを備え、
前記取付部材に、前記プリント基板を支持するプリント基板支持部が設けられていることを特徴とする遊技機。
【請求項２】
前記取付部材の前記プリント基板支持部は、前記スピーカの外周側に前記プリント基板を支持することを特徴とする請求項１に記載の遊技機。
【請求項３】
前記取付部材は、前記スピーカの正面を開放した状態で当該スピーカの外周側を囲む筒状に形成されたスピーカカバーを備え、
前記プリント基板支持部は、前記スピーカカバーの外周側で前記スピーカカバーの軸方向に沿った状態に前記プリント基板を支持することを特徴とする請求項１または２に記載の遊技機。
【請求項４】
前記プリント基板支持部は、前記プリント基板の両側縁部がそれぞれ挿入される互いに平行に対向する二つの溝と、前記溝に両側縁部を支持されたプリント基板に着脱自在に係止される爪部とを備えることを特徴とする請求項１〜３いずれか1項に記載の遊技機。
【請求項５】
前記プリント基板支持部は、前記スピーカカバーとの間に間隔をあけて前記プリント基板を支持することを特徴とする請求項３に記載の遊技機。
【発明の詳細な説明】
【技術分野】
【０００１】
本発明は、スピーカ近傍にプリント基板を有する遊技機に関する。
【背景技術】
【０００２】
従来から外周面に図柄が配列された複数の回転リールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数の回転リールの回転を開始させ、遊技者の停止操作を契機として、内部抽選の結果に応じた態様で複数の回転リールを停止させる制御を行っている。そして、遊技の結果は、複数の回転リールが停止した状態における入賞判定ライン（有効ライン）上に表示された図柄組合せによって判定され、遊技の結果に応じてメダル等の払い出しなどが行われる。すなわち、有効ライン上に内部抽選で当選した役に対応する図柄組合せで図柄が停止すると役が入賞したことになり、メダルの払い出しなどが行われる。
【０００３】
このようなスロットマシンでは、遊技者側となる正面側にランプ等と呼ばれる発光型装飾部材が設けられている。また、スロットマシンでは、音響による演出を行うために正面側にスピーカを設けている場合が多い。遊技機の前面側にスピーカを取り付ける方法としては、例えば、遊技機側にスピーカ収納部として円筒状の部材を設け、このスピーカ収納部に円筒状のシールド部材で囲われたスピーカを収納し、スピーカの正面側にスピーカカバー（前面カバー）を取り付け、スピーカカバーを外すだけでスピーカを着脱できるようにしたものが提案されている（例えば、特許文献１参照）。
【先行技術文献】
【特許文献】
【０００４】
【特許文献１】特開平０７−２７５４６１号公報
【発明の概要】
【発明が解決しようとする課題】
【０００５】
ところで、遊技機の正面側では、パチンコの遊技盤の遊技球の流れや、スロットマシンの回転リールの回転等を見せるだけではなく、ＬＥＤを用いた光る装飾や、動く役物などにより、スペースが限られており、例えば、音響に優れることを強調するように、スピーカの前面カバー近傍でＬＥＤによる照明を行う場合に、ＬＥＤ基板を設置する場所として、例えば、遊技機の前部に固定されてＬＥＤ基板を支持するＬＥＤ基板用ベース部材の設置空間を確保するのが難しい場合がある。また、ＬＥＤ基板以外のプリント基板をスピーカ近傍に配置する場合も同様の問題が生じる。
【０００６】
本発明は、前記事情に鑑みてなされたもので、正面部分に、スピーカを取り付ける取付部材に、プリント基板を支持する構造を設け、省スペース化を図ることができる遊技機を提供することを目的とする。
【課題を解決するための手段】
【０００７】
前記目的を達成するために、本発明の遊技機は、スピーカと前記スピーカ近傍に設けられたプリント基板とを有する遊技機であって、
前記スピーカと、前記プリント基板と、前記スピーカの取り付けに用いられる取付部材とを備え、
前記取付部材に、前記プリント基板を支持するプリント基板支持部が設けられていることを特徴とする。
【０００８】
このような構成によれば、プリント基板を、スピーカを取り付けるための取付部材に取り付けられるので、プリント基板専用の取付部材を必要とせず、一つの取付部材で、スピーカとプリント基板の両方を遊技機に取り付けることでスペース効率の向上を図ることができる。すなわち、スピーカの近傍にプリント基板を取り付けるのに十分なスペースがなくても、プリント基板を取り付け可能となり、スピーカを例えばプリント基板としてのＬＥＤ基板のＬＥＤの光で装飾できる。
【０００９】
本発明の前記構成において、前記取付部材の前記プリント基板支持部は、前記スピーカの外周側に前記プリント基板を支持することが好ましい。
【００１０】
このような構成によれば、プリント基板をスピーカの取付部材に支持させる構造とした際に、スピーカの前後位置とプリント基板の前後位置を略同じにして、コンパクトに配置することができる。
【００１１】
また、本発明の前記構成において、前記取付部材は、前記スピーカの正面を開放した状態で当該スピーカの外周側を囲む筒状に形成されたスピーカカバーを備え、
前記プリント基板支持部は、前記スピーカカバーの外周側で前記スピーカカバーの軸方向に沿った状態に前記プリント基板を支持することが好ましい。
【００１２】
このような構成によれば、プリント基板が筒状のスピーカカバーに沿った状態に配置されることになり、プリント基板をよりコンパクトに配置することができる。なお、この場合に、プリント基板がＬＥＤ基板の場合に、ＬＥＤの搭載面を遊技機の前面側に向ける状態とならないので、ＬＥＤは、ＬＥＤ基板に直交する方向ではなく、ＬＥＤ基板に沿った方向に光を照射するものであることが好ましい。
【００１３】
また、本発明の前記構成において、前記プリント基板支持部は、前記プリント基板の両側縁部がそれぞれ挿入される互いに平行に対向する二つの溝と、前記溝に両側縁部を支持されたプリント基板に着脱自在に係止される爪部とを備えることが好ましい。
【００１４】
このような構成によれば、プリント基板の電子部品が搭載される部分や配線パターンが形成される部分を避けて、プリント基板の両側縁部を溝に挿入して支持できる。これにより電子部品（例えばＬＥＤ）や配線パターンが傷付くのを防止できる。また、溝に両側縁が挿入されたプリント基板の例えば他の側縁を爪部で係止してプリント基板の脱落を防止できるので、電子部品や配線パターンを傷付け難い構造にできる。
【００１５】
また、本発明の前記構成において、前記プリント基板支持部は、前記スピーカカバーとの間に間隔をあけて前記プリント基板を支持することが好ましい。
【００１６】
このような構成によれば放熱性が高い構造となり、プリント基板の過熱を防止できる。また、プリント基板のスピーカカバー側に配線パターンがあったり、電子部品があったりしてもこれが傷付くのを抑止できる。
【発明の効果】
【００１７】
本発明の遊技機によれば、スペースに余裕がなくともスピーカの近傍にプリント基板を配置することができる。
【図面の簡単な説明】
【００１８】
【図１】本発明の実施の形態に係る遊技機の一例を示すもので、その斜視図である。
【図２】同、前扉の上部の角部を示す正面図である。
【図３】同、スピーカユニットを示す分解斜視図である。
【図４】同、スピーカユニットを示す分解斜視図である。
【図５】同、スピーカカバーとＬＥＤ基板を示す分解斜視図である。
【図６】同、スピーカカバーとＬＥＤ基板を示す正面図である。
【発明を実施するための形態】
【００１９】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００２０】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００２１】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００２２】
図１に示すように、上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する画像表示装置（ディスプレイ）の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部および左右両側部には、報知や演出などを行うためのランプ３３ａ，３３ｂが設けられている。
【００２３】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２４】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２５】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２６】
また、下扉４０の下部には、スロットマシンＭ内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２７】
次に、図２に示す上扉３０の上部の左右の角部に設けられたスピーカユニット６０（左右の一方だけを図示）について説明する。スピーカユニット６０は、図３〜図６に示すように、スピーカ７１と、上扉３０にスピーカ７１を取り付けるためのスピーカベース６２およびスピーカカバー８１と、ＬＥＤ基板（プリント基板）９５と、前面カバー６１とを備える。スピーカ７１は、振動体であるコーン７２と、コーン７２を振動させる磁石およびコイルを備える駆動部７６とを備える。ここで、スピーカ７１のコーン７２は、上下方向より左右方向が長い横長の形状を有し、正面側に向かって開く楕円錐の筒状である。
【００２８】
図３、図４に示すスピーカベース６２は、スピーカ７１の正面側（前側）に取り付けられるもので、スピーカ７１の正面部分の外形より少し広い横長の筒状とされており、正面側開口部６３と背面側開口部６４を有する筒体６５となっている。スピーカベース６２の正面側開口部６３には、パンチングメタルからなる前面カバー６１が取り付けられ、正面側開口部６３が塞がれている。また、スピーカベース６２の背面側開口部６４にスピーカ７１の正面開口部が接続されている。
【００２９】
スピーカカバー８１は、図３〜図６に示すように、スピーカ７１の外周側を囲むように横長の筒状とされており、横長の正面側開口部８３と横長の背面側開口部８４とを備える筒体８２である。筒体８２は、横長の略四角枠状とされ、略水平な上辺と下辺とを備えるとともに略垂直な左右の辺を備える。略四角筒状の筒体８２の上辺の外側が、ＬＥＤ基板支持部（プリント基板支持部）８６となっている。ＬＥＤ基板支持部８６は、筒体８２の上辺を構成する天板９２の左右側部にそれぞれ上方に突出し、前後に延在するリブを備え、これら左右のリブにそれぞれ上下２段の支持凸部９０、９１を備える。支持凸部９０、９１は、天板９２に沿って前後方向に延在し、左右のリブで上下一対の支持凸部９０、９１が対向して配置されている。また、支持凸部９０の下に支持凸部９１が平行に設けられている。これら上下２段の支持凸部９０、９１の間が前後方向に延在する溝８７となっている。これにより、天板９２の左右側部にそれぞれ溝８７が設けられ、これら二つの溝８７は、互いに対向している。左右のリブの後部には、これらにかけ渡された架橋部９９を備える。左右の溝８７には、ＬＥＤ基板（プリント基板）９５の左右両側縁部が挿入されてＬＥＤ基板９５が支持される。架橋部９９の中央部には、上述のように溝８７に支持されたＬＥＤ基板９５の上に前後方向に沿って配置される爪支持部（爪部）８８が支持されている。架橋部９９の中央部より図中右側には、上述のように溝８７に支持されたＬＥＤ基板９５の上に前後方向に沿って配置される上押さえ部８９が支持されている。
【００３０】
爪支持部８８は、先端部に下に突出する爪を有し、ＬＥＤ基板９５の前縁部に着脱自在に係止されるようになっている。また、上押さえ部８９は、ＬＥＤ基板９５の上側の位置を溝８７、爪支持部８８とともに規制している。このようなＬＥＤ基板支持部８６は、支持したＬＥＤ基板９５とスピーカカバー８１の天板９２との間に間隔をあけている。
【００３１】
ＬＥＤ基板９５は、左右に長い矩形板状のプリント配線基板であり、ＬＥＤ基板９５上に信号線（電力線）等の配線が接続されるコネクタ９６と、複数のＬＥＤ９７を備える。また、ＬＥＤ基板９５は、上面と下面とにプリント配線が施されている。本実施の形態の図３、図６の図中において、ＬＥＤ基板９５の上面に、左から右にコネクタ９６と４つのＬＥＤ９７が一列並んで配置されている。ＬＥＤ基板９５を係止する爪支持部８８は、４つのＬＥＤ９７のうちの左から１番目と２番目の間に配置され、上押さえ部８９は、４つのＬＥＤ９７のうちの左から３番目と４番目の間に配置されている。これら爪支持部８８および上押さえ部８９は、ＬＥＤ基板９５の取付時等においてＬＥＤ基板９５のプリント配線に接触する虞がある。そこで、ＬＥＤ基板９５では、爪支持部８８および上押さえ部８９がある側となるＬＥＤ基板９５の図中右側においては、プリント配線をＬＥＤ基板９５の下面側に設け、コネクタ９６側となるＬＥＤ基板９５の図中左側においては、プリント配線をＬＥＤ基板９５の上面側に設けている。これにより、ＬＥＤ基板９５の取付時等においてプリント配線が傷付くのを抑制している。
ＬＥＤ基板９５に搭載されているＬＥＤ９７は、ＬＥＤ基板９５に直交する方向に光るのではなく、ＬＥＤ基板９５に沿って正面側に光るようになっており、ＬＥＤ基板９５が水平に配置されていても正面側に光の多くが向かうようになっている。
【００３２】
このようなスピーカユニット６０にあっては、スピーカ７１の外周側に筒状のスピーカカバー８１が配置され、スピーカ７１の前にスピーカベース６２が配置され、スピーカカバー８１の前部（正面部）と、スピーカベース６２の背面部（後部）とが接合されてスピーカベース６２とスピーカカバー８１とでスピーカ７１を支持し、例えば、スピーカベース６２が上扉３０に固定されている。したがって、スピーカベース６２およびスピーカカバー８１がスピーカ７１をスロットマシンＭに取り付けるための取付部材となっている。
【００３３】
この取付部材のスピーカカバー８１には、ＬＥＤ基板９５を支持して保持するＬＥＤ基板支持部８６にＬＥＤ基板９５が支持されているので、スピーカ７１近傍でＬＥＤの光による演出（装飾）を行う場合にスピーカ７１の取付部材とは別にＬＥＤ基板９５を取り付ける取付部材を設ける必要がなく、部品点数を減らすことができる。これにより、部品の在庫管理、組み立て作業の効率化を図ることができるとともに、スピーカ７１の取付部材とＬＥＤの取付部材とを別部材とした場合よりもスペース効率の向上を図ることができ、上扉３０のスピーカ７１周りのスペースに余裕がなくともＬＥＤ基板９５を配置することができる。
【００３４】
また、ＬＥＤ基板９５は、軸方向が略水平に配置された略四角筒状のスピーカカバー８１の上面に沿って水平に配置されているので、鉛直面内におけるスペース占有率が少なく、効率的に配置できる。なお、ＬＥＤ基板９５は、略四角筒状のスピーカカバー８１の４つの外面（上面、下面、左側面、右側面）のいずれかの近傍で、その外面に沿って配置されることが好ましい。この場合に、ＬＥＤ基板９５が、ＬＥＤが搭載された面を前に向けた状態とならないので、ＬＥＤ基板９５に搭載されるＬＥＤは、ＬＥＤ基板９５の基板面に沿って前側に光るものであることが好ましい。
【００３５】
ＬＥＤ基板９５は、左右両側縁部を左右の溝８７に支持され、爪支持部８８に位置を決められているので、ＬＥＤ基板９５の左右両側縁部と、爪支持部８８に係止される部分以外は、他の部材に接触しない状態に保持される。なお、本実施の形態では、スピーカカバー８１の筒体８２を構成する略４つの板体のうちの上側の天板９２の左右に前後方向に沿って突出して延在するリブにそれぞれ設けられた上下２段の支持凸部９０、９１の間の溝８７にＬＥＤ基板９５が支持されることで、ＬＥＤ基板９５と天板９２が離れており、放熱性に優れているとともに基板面の配線パターンに天板９２が接触することがなく、配線パターンが傷付くのを防止できる。なお、ＬＥＤ基板支持部８６では、ＬＥＤ基板９５がＬＥＤ基板支持部８６の前側から後側に向かって溝８７に挿入されるとともに、爪支持部８８を弾性変形させてＬＥＤ基板９５を通過させる。ＬＥＤ基板９５の後側の側縁は、スピーカカバー８１の架橋部９９に当たって位置が規制される。この際に、ＬＥＤ基板９５の前縁に爪支持部８８の爪が係止され、ＬＥＤ基板９５を固定する。この際にＬＥＤ基板９５の配線パターンやＬＥＤが傷付くのを防止できる。なお、ＬＥＤ基板９５の配置位置は、スピーカカバー８１の上部に限定されるものではなく、下部や左右側部であってもよい。また、プリント基板は、ＬＥＤ基板９５に限定されるものではなく、例えば、遊技機で用いられる中継基板やスレーブ基板等の各種プリント基板であってもよく、さらに可動役物等のアクチュエータを制御する制御基板であってもよい。
【符号の説明】
【００３６】
６２    スピーカベース（取付部材）
７１    スピーカ
８１    スピーカカバー（取付部材）
８６    ＬＥＤ基板支持部（プリント基板支持部）
８７    溝
９９    爪支持部（爪部）
９５    ＬＥＤ基板（プリント基板）
【図１】
2018183334.tif 000003
【図２】
2018183334.tif 000004
【図３】
2018183334.tif 000005
【図４】
2018183334.tif 000006
【図５】
2018183334.tif 000007
【図６】
2018183334.tif 000008